(57)【要約】  伝送メディアストリームのデータ量を抑制して帯域消費の減少を図る。  送信側は、ペイロードに伝送メディアを含む第１の伝送パケットと、ペイロードに伝送メディアに関する情報を含む第２の伝送パケットとが時分割的に多重化された伝送メディアストリームを、所定の伝送路を通じて受信側に送信する。この場合、第２の伝送パケットのペイロードに設けられる伝送メディアの提示制御情報の挿入領域に、この提示制御情報を取得するための参照情報が挿入される。受信側は、参照情報に基づいて提示制御情報を取得し、伝送メディアの提示制御を行う。
2014196335.tif 000002
【特許請求の範囲】
【請求項１】
ペイロードに伝送メディアを含む第１の伝送パケットと、ペイロードに上記伝送メディアに関する情報を含む第２の伝送パケットとが時分割的に多重化された伝送メディアストリームを、所定の伝送路を通じて受信側に送信する送信部と、
上記第２の伝送パケットのペイロードに設けられる上記伝送メディアの提示制御情報の挿入領域に、該提示制御情報を取得するための参照情報を挿入する情報挿入部とを備える
送信装置。
【請求項２】
上記情報挿入部は、
上記挿入領域に上記参照情報が挿入されていることを識別するための識別情報を、上記第２の伝送パケットのペイロードの、上記挿入領域に対応した所定領域に挿入する
請求項１に記載の送信装置。
【請求項３】
上記情報挿入部は、
上記第２の伝送パケットのペイロードの、上記挿入領域に対応した所定領域に、上記挿入領域に挿入される参照情報で取得される提示制御情報のバージョンを示すバージョン情報を挿入する
請求項１に記載の送信装置。
【請求項４】
上記参照情報は、ウェブサーバから上記提示制御情報を取得するためのＵＲＬである
請求項１に記載の送信装置。
【請求項５】
上記ウェブサーバから取得される提示制御情報は、非圧縮のＨＴＭＬファイルあるいは圧縮されたＨＴＭＬファイルである
請求項４に記載の送信装置。
【請求項６】
上記伝送パケットは、ＭＭＴパケットであり、
上記挿入領域は、ＭＣＩテーブルのＣＩコンテンツの領域である
請求項１に記載の送信装置。
【請求項７】
ペイロードに伝送メディアを含む第１の伝送パケットと、ペイロードに上記伝送メディアに関する情報を含む第２の伝送パケットとが時分割的に多重化された伝送メディアストリームを、所定の伝送路を通じて受信側に送信するステップと、
上記第２の伝送パケットのペイロードに設けられる上記伝送メディアの提示制御情報の挿入領域に、該提示制御情報を取得するための参照情報を挿入するステップとを備える
送信方法。
【請求項８】
ペイロードに伝送メディアを含む第１の伝送パケットと、ペイロードに上記伝送メディアに関する情報を含む第２の伝送パケットとが時分割的に多重化された伝送メディアストリームを、送信側から所定の伝送路を通じて受信する受信部を備え、
上記第２の伝送パケットのペイロードに設けられる上記伝送メディアの提示制御情報の挿入領域には、該提示制御情報を取得するための参照情報が挿入されており、
上記挿入領域に挿入されている上記参照情報に基づいて、上記提示制御情報を取得する情報取得部と、
上記取得された提示制御情報に基づいて、上記第１の伝送パケットに含まれている上記伝送メディアの提示制御を行う提示制御部とをさらに備える
受信装置。
【請求項９】
上記第２の伝送パケットのペイロードの、上記挿入領域に対応した所定領域に、上記挿入領域に上記参照情報が挿入されていることを識別するための識別情報が挿入されており、
上記情報取得部は、上記識別情報により上記挿入領域への上記参照情報の挿入が識別されるとき、上記挿入領域に挿入されている参照情報に基づいて、上記伝送メディアの提示制御情報を取得する
請求項８に記載の受信装置。
【請求項１０】
上記第２の伝送パケットのペイロードの、上記挿入領域に対応した所定領域に上記挿入領域に挿入されている参照情報で取得される提示制御情報のバージョンを示すバージョン情報が挿入されており、
上記情報取得部は、上記バージョン情報により示されるバージョンに変化があるとき、上記挿入領域に挿入されている参照情報に基づいて、上記伝送メディアの提示制御情報を取得する
請求項８に記載の受信装置。
【請求項１１】
上記参照情報は、ウェブサーバから上記提示制御情報を取得するためのＵＲＬである
請求項８に記載の受信装置。
【請求項１２】
上記ウェブサーバから取得される提示制御情報は、非圧縮のＨＴＭＬファイルあるいは圧縮されたＨＴＭＬファイルである
請求項１１に記載の受信装置。
【請求項１３】
上記伝送パケットは、ＭＭＴパケットであり、
上記挿入領域は、ＭＣＩテーブルのＣＩコンテンツの領域である
請求項８に記載の受信装置。
【請求項１４】
ペイロードに伝送メディアを含む第１の伝送パケットと、ペイロードに上記伝送メディアに関する情報を含む第２の伝送パケットとが時分割的に多重化された伝送メディアストリームを、送信側から所定の伝送路を通じて受信するステップを備え、
上記第２の伝送パケットのペイロードに設けられる上記伝送メディアの提示制御情報の挿入領域には、該提示制御情報を取得するための参照情報が挿入されており、
上記挿入領域に挿入されている上記参照情報に基づいて、上記伝送メディアの提示制御情報を取得するステップと、
上記取得された上記提示制御情報に基づいて、上記伝送メディアの提示制御を行うステップとをさらに備える
受信方法。
【請求項１５】
伝送メディアの提示制御情報を取得するための参照情報が埋め込まれている伝送メディアストリームを受信する受信部と、
上記受信された伝送メディアストリームを処理する処理部とを備える
受信装置。
【請求項１６】
上記処理部は、
上記参照情報に基づいてウェブサーバから上記提示制御情報を取得して上記伝送メディアの提示処理を行うウェブブラウザを有する
請求項１５に記載の受信装置。
【請求項１７】
上記伝送メディアストリームには、ペイロードに伝送メディアを含む第１の伝送パケットと、ペイロードに上記伝送メディアに関する情報を含む第２の伝送パケットとが時分割的に多重化されており、
上記第２の伝送パケットのペイロードに設けられる上記伝送メディアの提示制御情報の挿入領域に、上記参照情報が挿入されている
請求項１５に記載の受信装置。
【発明の詳細な説明】
【技術分野】
【０００１】
本技術は、送信装置、送信方法、受信装置および受信方法に関し、詳しくは、ビデオ、オーディオなどの伝送メディアを含む伝送メディアストリームを送信する送信装置等に関する。
【背景技術】
【０００２】
近年、次世代放送向けのトランスポート方式として、ＭＭＴ（MPEG Media Transport）で規定される方式が脚光を浴びつつある。ＭＭＴに関しては、例えば、非特許文献１に詳細な記載がある。ＭＭＴには、トランスポート層だけでなく、画面の構成や時間による変化を記載したＭＭＴ−ＣＩ(Composition Information)と呼ばれるデータ構造が規定されている。このＭＭＴ−ＣＩは、ビデオ、オーディオ、イメージなどの伝送メディアの提示制御情報を構成している。このＭＭＴ−ＣＩは、ＨＴＭＬ５によって記述されている。
【先行技術文献】
【非特許文献】
【０００３】
【非特許文献１】Study of ISO/IEC CD 23008-1 MPEG Media Transport ,[online],[平成２５年５月７日検索]、インターネット＜ＵＲＬ： http://mpeg.chiariglione.org/standards/mpeg-h/mpeg-media-transport＞
【発明の概要】
【発明が解決しようとする課題】
【０００４】
ＭＭＴの場合、伝送メディアストリームに、ビデオ、オーディオ等の伝送メディアと共に、上述のＭＭＴ−ＣＩが挿入される。例えば、放送の場合、ユーザがいつ受信を開始するかわからないので、ＭＭＴ−ＣＩは、伝送メディアストリームに、比較的短い周期をもって繰り返し挿入されることになる。ＭＭＴ−ＣＩは、ある程度の大きさを持つデータであることから、伝送メディアストリームに頻繁に挿入されることで、伝送効率に影響を与える。なお、このような不都合は、ＭＭＴ方式の伝送メディアストリームに限られるものではなく、ビデオ、オーディオ等の伝送メディアと共にこの伝送メディアの提示制御情報を含むその他の伝送メディアストリームにおいても同様である。【０００５】
本技術の目的は、伝送メディアストリームのデータ量を抑制して帯域消費の減少を図ることにある。
【課題を解決するための手段】
【０００６】
本技術の概念は、
ペイロードに伝送メディアを含む第１の伝送パケットと、ペイロードに上記伝送メディアに関する情報を含む第２の伝送パケットとが時分割的に多重化された伝送メディアストリームを、所定の伝送路を通じて受信側に送信する送信部と、
上記第２の伝送パケットのペイロードに設けられる上記伝送メディアの提示制御情報の挿入領域に、該提示制御情報を取得するための参照情報を挿入する情報挿入部とを備える
送信装置にある。【０００７】
本技術において、送信部により、ペイロードに伝送メディアを含む第１の伝送パケットと、ペイロードに伝送メディアに関する情報を含む第２の伝送パケットとが時分割的に多重化された伝送メディアストリームが、所定の伝送路を通じて受信側に送信される。そして、情報挿入部により、第２の伝送パケットのペイロードに設けられる伝送メディアの提示制御情報の挿入領域に、この提示制御情報を取得するための参照情報が挿入される。【０００８】
例えば、参照情報は、ウェブサーバから提示制御情報を取得するためのＵＲＬである、ようにされてもよい。この場合、例えば、ウェブサーバから取得される提示制御情報は、非圧縮のＨＴＭＬファイルあるいは圧縮されたＨＴＭＬファイルである、ようにされてもよい。また、例えば、伝送パケットは、ＭＭＴパケットであり、挿入領域は、ＭＣＩテーブルのＣＩコンテンツの領域である、ようにされてもよい。【０００９】
このように本技術においては、伝送メディアストリームに、伝送メディアの提示制御情報そのものではなく、その提示制御情報を取得するための参照情報が挿入されるものである。そのため、伝送メディアストリームのデータ量を抑制して帯域消費の減少を図ることが可能となる。【００１０】
なお、本技術において、例えば、情報挿入部は、挿入領域に参照情報が挿入されていることを識別するための識別情報を、第２の伝送パケットのペイロードの、挿入領域に対応した所定領域に挿入する、ようにされてもよい。この場合、受信側においては、識別情報により挿入領域に参照情報が挿入されていることを識別できることから、参照情報に基づく伝送メディアの提示制御情報の取得処理を適切に行うことが可能となる。【００１１】
また、本技術において、例えば、情報挿入部は、第２の伝送パケットのペイロードの、挿入領域に対応した所定領域に、挿入領域に挿入される参照情報で取得される提示制御情報のバージョンを示すバージョン情報を挿入する、ようにされてもよい。この場合、受信側においては、例えば、バージョンが前回と同じであるときは参照情報に基づいて提示制御情報を取得する処理を省略する、ということが可能となり、処理の効率化が可能となる。【００１２】
また、本技術の他の概念は、
ペイロードに伝送メディアを含む第１の伝送パケットと、ペイロードに上記伝送メディアに関する情報を含む第２の伝送パケットとが時分割的に多重化された伝送メディアストリームを、送信側から所定の伝送路を通じて受信する受信部を備え、
上記第２の伝送パケットのペイロードに設けられる上記伝送メディアの提示制御情報の挿入領域には、該提示制御情報を取得するための参照情報が挿入されており、
上記挿入領域に挿入されている上記参照情報に基づいて、上記提示制御情報を取得する情報取得部と、
上記取得された提示制御情報に基づいて、上記第１の伝送パケットに含まれている上記伝送メディアの提示制御を行う提示制御部とをさらに備える
受信装置にある。【００１３】
本技術において、受信部により、ペイロードに伝送メディアを含む第１の伝送パケットと、ペイロードに伝送メディアに関する情報を含む第２の伝送パケットとが時分割的に多重化された伝送メディアストリームが、送信側から所定の伝送路を通じて受信される。例えば、所定の伝送路は、ＲＦ伝送路または通信ネットワーク伝送路である、ようにされてもよい。ここで、第２の伝送パケットのペイロードに設けられる伝送メディアの提示制御情報の挿入領域には、この提示制御情報を取得するための参照情報が挿入されている。【００１４】
情報取得部により、挿入領域に挿入されている参照情報に基づいて、提示制御情報が取得される。そして、提示制御部により、取得された提示制御情報に基づいて、伝送メディアの提示制御が行われる。例えば、参照情報は、ウェブサーバから提示制御情報を取得するためのＵＲＬである、ようにされてもよい。そして、この場合、ウェブサーバから取得される提示制御情報は、非圧縮のＨＴＭＬファイルあるいは圧縮されたＨＴＭＬファイルである、ようにされてもよい。また、例えば、伝送パケットは、ＭＭＴパケットであり、挿入領域は、ＭＣＩテーブルのＣＩコンテンツの領域である、ようにされてもよい。【００１５】
このように本技術においては、伝送メディアストリームに挿入されている参照情報に基づいて伝送メディアの提示制御情報を取得して伝送メディアの提示制御を行うものである。そのため、伝送メディアストリームに伝送メディアの提示制御情報そのものが挿入されることは必要なく、伝送メディアストリームのデータ量を抑制して帯域消費の減少を図ることが可能となる。【００１６】
なお、本技術において、例えば、第２の伝送パケットのペイロードの、挿入領域に対応した所定領域に、挿入領域に参照情報が挿入されていることを識別するための識別情報が挿入されており、情報取得部は、この識別情報により挿入領域への参照情報の挿入が識別されるとき、挿入領域に挿入されている参照情報に基づいて、伝送メディアの提示制御情報を取得する、ようにされてもよい。この場合、識別情報により挿入領域に参照情報が挿入されていることを識別した後に、その参照情報に基づいて伝送メディアの提示制御情報を取得することから、参照情報に基づく提示制御情報の取得処理を適切に行うことが可能となる。【００１７】
また、本技術において、例えば、第２の伝送パケットのペイロードの挿入領域に対応した所定領域に挿入領域に挿入されている参照情報で取得される提示制御情報のバージョンを示すバージョン情報が挿入されており、情報取得部は、バージョン情報により示されるバージョンに変化があるとき、挿入領域に挿入されている参照情報に基づいて、伝送メディアの提示制御情報を取得する、ようにされてもよい。この場合、バージョンが前回と同じであるときは参照情報に基づいて提示制御情報を取得する処理を省略でき、処理の効率化が可能となる。【００１８】
また、本技術の他の概念は、
伝送メディアの提示制御情報を取得するための参照情報が埋め込まれている伝送メディアストリームを受信する受信部と、
上記受信された伝送メディアストリームを処理する処理部とを備える
受信装置にある。【００１９】
本技術において、受信部により、伝送メディアの提示制御情報を取得するための参照情報が埋め込まれている伝送メディアストリームが受信される。そして、処理部により、受信された伝送メディアストリームが処理される。例えば、処理部は、参照情報に基づいてウェブサーバから提示制御情報を取得して伝送メディアの提示処理を行うウェブブラウザを有する、ようにされてもよい。また、例えば、伝送メディアストリームには、ペイロードに伝送メディアを含む第１の伝送パケットと、ペイロードに上記伝送メディアに関する情報を含む第２の伝送パケットとが時分割的に多重化されており、第２の伝送パケットのペイロードに設けられる上記伝送メディアの提示制御情報の挿入領域に、参照情報が挿入されている、ようにされてもよい。【００２０】
本技術においては、伝送メディアストリームに埋め込まれている参照情報に基づいて伝送メディアの提示制御情報を取得して伝送メディアの提示処理を行うものである。そのため、伝送メディアストリームに伝送メディアの提示制御情報そのものが挿入されることは必要なく、伝送メディアストリームのデータ量を抑制して帯域消費の減少を図ることが可能となる。
【発明の効果】
【００２１】
本技術によれば、伝送メディアストリームのデータ量を抑制して帯域消費の減少を図ることが可能となる。なお、本明細書に記載された効果はあくまで例示であって限定されるものではなく、また付加的な効果があってもよい。
【図面の簡単な説明】
【００２２】
【図１】実施の形態としての表示システムの構成例を示すブロック図である。
【図２】ＭＭＴパケットの構成をツリー形式で示す図である。
【図３】ＭＭＴ−ＣＩの基本構造を示す図である。
【図４】ＭＭＴ−ＣＩの挿入領域を持つメッセージである、ＭＭＴ・コンポジション・インフォメーション・メッセージ（MCI_massage()）の構造例を示す図である。
【図５】ＭＣＩテーブル（MCI_table）の構造例を示す図である。
【図６】「CI_mode」が示すモード例を示す図である。
【図７】「CI_content」として配置されるＭＭＴ−ＣＩ、あるいは「CI_content」として配置される参照情報に基づいて取得されるＭＭＴ−ＣＩの一例を示す図である。
【図８】「CI_content」として配置される参照情報としてのＵＲＬの一例を示す図である。
【図９】受信機の処理手順の一例を概略的に示すフローチャートである。
【図１０】差分更新情報の一例を示す図である。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［表示システムの構成例］
図１は、表示システム１０の構成例を示している。この表示システム１０において、送信側には放送局１１０、ストリーミングサーバ１２０およびウェブ（Web）サーバ１３０が配置され、受信側には受信機２００が配置されている。
【００２５】
放送局１１０は、ＭＭＴ構造（ISO/IEC CD 23008-1参照）のトランスポートパケット、つまりＭＭＴパケットが含まれる伝送メディアストリームを生成し、この伝送メディアストリームを、ＲＦ伝送路を通じて受信側に送信する。以下、適宜、この伝送メディアストリームを「ＭＭＴストリーム」と呼ぶことにする。この場合、放送局１１０は、ＭＭＴストリームを適切なアダプテーションレイヤを介するなどしてＲＦ変調した後、ＲＦ伝送路を通じて受信側に送る。
【００２６】
ストリーミングサーバ１２０は、上述の放送局１１０で取り扱ったと同様のＭＭＴストリームを、例えば、インターネット３００などの通信ネットワーク伝送路を通じて、受信側に送信する。この場合、ストリーミングサーバ１２０は、ＭＭＴストリームをＩＰパケット化し、通信ネットワーク伝送路を通じて受信側に送る。
【００２７】
このＭＭＴストリームには、ペイロードにビデオ、オーディオなどの伝送メディアを含む第１のＭＭＴパケットと、ペイロードに伝送メディアに関する情報を含む第２のＭＭＴパケットが、少なくともフラグメントされたパケットの大きさで時分割的に多重化されている。
【００２８】
図２は、ＭＭＴパケットの構成をツリー形式で示したものである。ＭＭＴパケットは、ＭＭＴパケットヘッダ（MMT Packet Header）と、ＭＭＴペイロードヘッダ（MMT Payload Header）と、ＭＭＴペイロード（MMT Payload）により構成される。ＭＭＴペイロードには、メッセージ（Message）、ＭＰＵ（Media Processing Unit）、ＦＥＣ修正シンボル（FEC Repair Symbol）などが含まれ、これらのシグナリングはＭＭＴペイロードヘッダに含まれるペイロードタイプ（payload_type）により行われる。
【００２９】
ここで、メッセージは、伝送メディアに関する情報を構成する。このメッセージには、各種のメッセージ内容がテーブル形式で挿入される。また、ＭＰＵは、フラグメント化されて、ＭＦＵ（MMT Fragment Unit）に細分化されることもある。その場合、各ＭＦＵの先頭には、ＭＦＵヘッダ（MFU Header）が付加される。ＭＭＴペイロードに含まれるＭＰＵには、ビデオ、オーディオ、字幕などのメディアデータに係るＭＰＵ、さらには、メタデータに係るＭＰＵが存在する。各ＭＰＵを含むＭＭＴパケットは、ＭＭＴパケットヘッダに存在するパケットＩＤ（Packet_ID）で識別可能とされる。
【００３０】
伝送メディアに関する情報の一つとして、画面の構成や時間による変化を記載したＭＭＴ−ＣＩ(Composition Information)と呼ばれるデータ構造が規定されている。このＭＭＴ−ＣＩは、ビデオ、オーディオ、イメージなどの伝送メディアの提示制御情報を構成している。このＭＭＴ−ＣＩは、ＨＴＭＬ５によって記述されている。
【００３１】
図３は、ＭＭＴ−ＣＩの基本構造を示している。Root要素は、「html」であり、head要素およびbody要素を持つ。head要素は、title要素の他に、複数のview要素を持ち、各view要素は複数のdivLocation要素を持つ。また、body要素は複数のdiv要素を持つ。div要素の中には、ビデオ（video）、オーディオ（audio）、イメージ（img）などを置くことができる。各メディア指定には、source要素、あるいは、src属性を使用する。view要素は、bodyのdivの表示位置を決めるが、初期位置は、その配下にあるdivLocation要素で決定する。divLocation要素は、時系列に変化する表示位置を順次表わす。そのため、ページのreloadなしに表示位置はdivLocation要素に従って変化する。
【００３２】
図４は、ＭＭＴ−ＣＩの挿入領域を持つメッセージである、ＭＭＴ・コンポジション・インフォメーション・メッセージ（MCI_massage()）の構造例（Syntax）を示している。「message_id」のフィールドは、ＭＣＩメッセージであることを示す。「version」のフィールドは、このＭＣＩメッセージのバージョンを示し、更新されたら数字が増える。「length」のフィールドは、このＭＣＩメッセージのサイズをバイト数で示す。「message_payload」のフィールドに、ＭＣＩテーブル（MCI_table）が含まれる。
【００３３】
図５は、ＭＣＩテーブル（MCI_table）の構造例（Syntax）を示している。「table_id」のフィールドは、ＣＩの種類を示す。「table_id = 0」はベースＣＩ（base CI）を示し、「table_id = 1-14」はサブセットＣＩ（subset CI）を示し、「table_id = 15」はコンプリートＣＩ（complete CI）を示す。「version」のフィールドは、このＭＣＩテーブルのバージョンを示し、更新されたら数字が増える。この場合、このバージョンは、実質的には、後述する「CI_content」として配置されるＭＭＴ−ＣＩ、あるいは「CI_content」として配置される参照情報で取得されるＭＭＴ−ＣＩのバージョンを示すものである。そのため、このバージョンから、ＭＭＴ−ＣＩの変化の有無を知ることができる。
【００３４】
「CI_content」のフィールドは、提示制御情報の挿入領域を構成している。「length」のフィールドは、この「CI_content」のフィールドのサイズをバイト数で示す。この実施の形態において、この「CI_content」として、ＭＭＴ−ＣＩ、または、このＭＭＴ−ＣＩ（あるいは、このＭＭＴ−ＣＩに相当するＨＴＭＬファイル）を取得するための参照情報、ここではＵＲＬが配置される。
【００３５】
「CI_mode」のフィールドは、サブセットＣＩの処理モードなどを示す。図６は、「CI_mode」の一例を示している。「sequentioal_order_processing_mode」は、サブセットＣＩを番号順に処理することを示す。「order_irrelevant_processing_mode」は、サブセットＣＩを受信順に処理可能であることを示す。「independent_processing_mode」は、サブセットＣＩのバージョンはそれぞれ独立して管理することを示す。以上の各モードにあっては、「CI_content」としてＭＭＴ−ＣＩが配置される。
【００３６】
また、「external_reference_mode」は、ＭＭＴ−ＣＩを、「CI_content」で示す参照情報としてのＵＲＬ（Uniform Resource Locator）から取得することを示す。このモード（外部参照モード）は、「CI_content」として参照情報が配置されていることを識別するための識別情報を構成している。従って、このモードにあっては、「CI_content」としてＭＭＴ−ＣＩを取得するための参照情報が配置される。この場合、参照情報によりＭＭＴ−ＣＩそのものを取得することは必要なく、このＭＭＴ−ＣＩに対応する情報を含むＨＴＭＬファイルであってもよい。以下では、説明を簡単にするため、参照情報によりＭＭＴ−ＣＩそのものを取得するものとして説明する。
【００３７】
図７は、「CI_content」として配置されるＭＭＴ−ＣＩ、あるいは「CI_content」として配置される参照情報に基づいて取得されるＭＭＴ−ＣＩの一例を示している。html要素は、head要素とbody要素を持つ。そして、head要素は、title要素とview要素を持つ。title要素には、タイトルを示すテキストデータが存在する。view要素は、１つのdivLocation要素を持つ。また、body要素は、１つのdiv要素を持つ。そして、このdiv要素はvideo要素とaudio要素を持つ。図８（ａ）は、「CI_content」に参照情報として配置されるＵＲＬの一例を示している。
【００３８】
放送局１１０およびストリーミングサーバ１２０は、伝送メディアストリームの送信部を構成する。また、放送局１１０およびストリーミングサーバ１２０は、上述したように「CI_content」として参照情報を配置する場合には、伝送メディアの提示制御情報の挿入領域に、その提示制御情報を取得するための参照情報を挿入する情報挿入部を構成する。
【００３９】
図１に戻って、ウェブサーバ１３０は、提示制御情報としてのＭＭＴ−ＣＩを、ストレージなどの保持部に保持している。ウェブサーバ１３０は、受信側からの要求に応じて、保持部に保持されているＭＭＴ−ＣＩを、ＩＰ送信部により、インターネット３００などの通信ネットワーク伝送路を通じて、受信側に伝送する。
【００４０】
受信機２００は、ＩＰ受信部２０１と、ＭＭＴプレーヤ２０２と、出力部２０３と、ＩＰ/ＲＦ受信部２０４と、ＭＭＴデコード部２０５を有している。ＩＰ/ＲＦ受信部２０４は、放送局１１０からＲＦ伝送路を通じて送られてくるＭＭＴストリームをアダプテーションレイヤの解析を経て受信する、あるいは、ストリーミングサーバ１２０から通信ネットワーク伝送路を通じて送られてくるＭＭＴストリームを受信する。
【００４１】
ＭＭＴデコード部２０５は、ＩＰ/ＲＦ受信部２０４で受信されたＭＭＴストリームに含まれるＭＭＴパケットのアンパケット化、さらには復号化処理を行って、メディアデータとしてのビデオ、オーディオなどのデータを得る他、メタデータやメッセージを得る。この場合、画面の構成や時間による変化を記載したＭＭＴ−ＣＩ、あるいはこのＭＭＴ−ＣＩを取得するための参照情報であるＵＲＬも得られる。
【００４２】
ＩＰ受信部２０１は、インターネット３００を通じて、ウェブサーバ１３０と通信をする。ＩＰ受信部２０１は、ＭＭＴデコード部２０５でＭＭＴ−ＣＩを取得するためのＵＲＬが得られるとき、ＭＭＴプレーヤ２０２からの要請により、そのＵＲＬに基づいてウェブサーバ１３０にアクセスし、ＭＭＴ−ＣＩを取得する。
【００４３】
なお、この場合、ＭＭＴプレーヤ２０２は、ＭＣＩテーブル（図５参照）の「CI_mode」が「external_reference_mode」であることから、「CI_content」として参照情報が配置されていることを識別し、ＩＰ受信部２０１にＭＭＴ−ＣＩの取得を要請する。そのため、参照情報に基づくＭＭＴ−ＣＩの取得処理が適切に行われる。
【００４４】
また、この場合、ＭＭＴプレーヤ２０２は、ＭＣＩテーブル（図５参照）の「version」で示されるバージョンに変化があるとき、ＩＰ受信部２０１にＭＭＴ−ＣＩの取得を要請する。つまり、バージョンが前回と同じであるときは参照情報に基づくＭＭＴ−ＣＩの取得処理は省略され、処理の効率化が行われる。
【００４５】
ＭＭＴプレーヤ２０２は、ウェブブラウザ２１０を備えている。ウェブブラウザ２１０は、ＨＴＭＬパース部２１０ａと、ＨＴＭＬレイアウト部２１０ｂと、ＨＴＭＬレンダリング部２１０ｃを有している。ＨＴＭＬパース部２１０ａは、ＭＭＴデコード部２０５で得られたＭＭＴ−ＣＩあるいはウェブブラウザ１３０からＩＰ受信部２０１で取得されたＭＭＴ−ＣＩのＨＴＭＬ５文書を解析する。
【００４６】
ＨＴＭＬレイアウト部２１０ｂおよびＨＴＭＬレンダリング部２１０ｃは、ＨＴＭＬパース部２１０ａの解析結果に基づいて、ＭＭＴデコード部２０５で得られたビデオ、オーディオなどのデータを利用して、ＭＭＴ−ＣＩで指定される画面の構成（レイアウト）や時間による変化などに対応した画像、音声の出力データを生成する。
【００４７】
出力部２０３は、ＭＭＴプレーヤ２０６で生成された画像、音声の出力データに基づいて、画像表示、音声出力を行う。この出力部は、画像表示を行うディスプレイ、音声出力を行うスピーカなどで構成される。
【００４８】
図１に示す表示システム１０の動作を簡単に説明する。放送局１１０から、ＭＭＴストリームが、ＲＦ伝送路を通じて、受信側に送信される。あるいは、ストリーミングサーバ１２０から、ＭＭＴストリームが、インターネット３００などの通信ネットワーク伝送路を通じて、受信側に送信される。
【００４９】
受信機２００のＩＰ/ＲＦ受信部２０４では、放送局１１０あるいはストリーミングサーバ１２０から送られてくるＭＭＴストリームが受信される。このＭＭＴストリームは、ＭＭＴデコード部２０５に供給される。ＭＭＴデコード部２０５では、ＭＭＴストリームに含まれるＭＭＴパケットのアンパケット化、さらには復号化処理が行われて、メディアデータとしてのビデオ、オーディオ、イメージなどのデータ、さらにはメタデータやメッセージが得られる。
【００５０】
また、ＭＭＴデコード部２０５では、画面の構成や時間による変化を記載したＭＭＴ−ＣＩ、あるいは、このＭＭＴ−ＣＩを取得するための参照情報としてのＵＲＬも得られる。ＭＭＴデコード部２０５で得られる各種のデータは、ＭＭＴプレーヤ２０２に供給される。
【００５１】
ＭＭＴデコード部２０５でＭＭＴ−ＣＩを取得するためのＵＲＬが得られるとき、ＭＭＴプレーヤ２０２からＩＰ受信部２０１に、ＭＭＴ−ＣＩの取得要請が行われる。ＩＰ受信部２０１では、この要請に応じ、ＵＲＬに基づいてウェブサーバ１３０にアクセスしてＭＭＴ−ＣＩを取得することが行われる。このように取得されたＭＭＴ−ＣＩはＭＭＴプレーヤ２０２に供給される。
【００５２】
ＭＭＴプレーヤ２０２のウェブブラウザ２１０内のＨＴＭＬパース部２１０ａでは、ＭＭＴデコード部２０５で得られたＭＭＴ−ＣＩあるいはＩＰ受信部２０１で取得されたＭＭＴ−ＣＩのＨＴＭＬ５文書が解析される。そして、ウェブブラウザ２１０内のＨＴＭＬレイアウト部２１０ｂおよびＨＴＭＬレンダリング部２１０ｃでは、ＨＴＭＬパース部２１０ａの解析結果に基づいて、ＭＭＴデコード部２０５で得られたビデオ、オーディオなどのデータが利用されて、ＭＭＴ−ＣＩで指定される画面の構成（レイアウト）や時間による変化などに対応した画像、音声の出力データが生成される。
【００５３】
このようにＭＭＴプレーヤ２０２のウェブブラウザ２１０からの画像、音声の出力データは、出力部２０３に供給される。出力部２０３では、この画像、音声の出力データに基づいて、ＭＭＴ−ＣＩで指定される画面の構成（レイアウト）や時間による変化などに対応した画像表示、音声出力が行われる。
【００５４】
図９のフローチャートは、受信機２００の処理手順の一例を概略的に示している。まず、受信機２００は、ステップＳＴ１において、ＭＭＴストリームを取得する。次に、受信機２００は、ステップＳＴ２において、ＭＭＴストリームから「MCI_message」を取得し、ステップＳＴ３において、「MCI_message」から「MCI_table」を取得する。そして、受信機２００は、ステップＳＴ４において、「MCI_table」から「CI_mode」を取得する。
【００５５】
次に、受信機２００は、ステップＳＴ５において、「CI_mode」が「external_reference_mode」であるか否かを判別する。「CI_mode」が「external_reference_mode」でないとき、受信機２００は、ステップＳＴ６の処理に移る。このステップＳＴ６において、受信機２００は、「MCI_table」から「CI_content」を取得する。
【００５６】
次に、受信機２００は、ステップＳＴ７において、この「CI_content」をＭＭＴ−ＣＩとして処理を行って、ＭＭＴ−ＣＩで指定される画面の構成（レイアウト）や時間による変化などに対応した画像、音声の出力データを得る。そして、受信機２００は、ステップＳＴ８において、画像表示、音声出力を行う。
【００５７】
また、ステップＳＴ５で「CI_mode」が「external_reference_mode」であるとき、受信機２００は、ステップＳＴ９の処理に移る。このステップＳＴ９において、受信機２００は、「MCI_table」から「CI_content」を取得する。そして、受信機２００は、ステップＳＴ１０において、「CI_content」をＵＲＬとして、ウェブサーバ１３０から、リンク先データを取得する。
【００５８】
次に、受信機２００は、ステップＳＴ１１において、このリンク先データをＭＭＴ−ＣＩとして処理を行って、ＭＭＴ−ＣＩで指定される画面の構成（レイアウト）や時間による変化などに対応した画像、音声の出力データを得る。そして、受信機２００は、ステップＳＴ８において、画像表示、音声出力を行う。
【００５９】
上述したように、図１に示す表示システム１０においては、放送局１１０あるいはストリーミングサーバ１２０から送信されるＭＭＴストリームに、ＭＭＴ−ＣＩそのものではなく、そのＭＭＴ−ＣＩを取得するための参照情報としてのＵＲＬが挿入されるものである。そのため、ＭＭＴストリームのデータ量を抑制して帯域消費の減少を図ることができる。
【００６０】
また、図１に示す表示システム１０においては、ＭＣＩテーブル（図５参照）の「CI_mode」が「external_reference_mode」とされて、「CI_content」として参照情報（例えば、ＵＲＬ）が配置されるものである。そのため、受信機２００のＭＭＴプレーヤ２０２は、「CI_mode」が「external_reference_mode」であるとき、「CI_content」としてＵＲＬ（参照情報）が配置されていることを識別できる。そして、ＭＭＴプレーヤ２０２は、この識別結果に基づいて、ＩＰ受信部２０１にＵＲＬを用いてのＭＭＴ−ＣＩの取得を要請するものである。したがって、受信機２００では、参照情報に基づくＭＭＴ−ＣＩの取得処理を適切に行うことができる。
【００６１】
また、図１に示す表示システム１０においては、ＭＣＩテーブル（図５参照）の「version」は、「CI_content」にＵＲＬが配置される場合、そのＵＲＬに基づいて取得されるＭＭＴ−ＣＩのバージョンを示すものとなる。そのため、ＭＭＴプレーヤ２０２は、「version」で示されるバージョンに変化があるときのみ、ＩＰ受信部２０１にＭＭＴ−ＣＩの取得を要請できる。したがって、受信機２００では、バージョンが前回と同じであるときは参照情報に基づくＭＭＴ−ＣＩの取得処理は省略され、処理の効率化を図ることができる。
【００６２】
＜２．変形例＞
なお、上述実施の形態においては、受信機２００のＩＰ受信部２０１がＵＲＬ（参照情報）に基づいてウェブサーバ１３０から取得するＭＭＴ−ＣＩは非圧縮のＨＴＭＬファイルである。しかし、受信機２００のＩＰ受信部２０１が、ＵＲＬ（参照情報）に基づいて、ウェブサーバ１３０から圧縮されたＨＴＭＬファイルを取得するように構成して、受信データ量を低減することも可能である。図８（ｂ）は、その場合における、ＵＲＬ（参照情報）の一例を示している。
【００６３】
また、同様に、受信データ量を低減するために、受信機２００のＩＰ受信部２０１が、ＭＭＴ−ＣＩの変化がある毎に、ＵＲＬ（参照情報）に基づいて、ウェブサーバ１３０から差分更新情報のみを取得するように構成することも可能である。図８（ｃ）は、その場合における、ＵＲＬ（参照情報）の一例を示している。また、図１０は、差分更新情報の一例を示している。この例は、ＭＭＴ−ＣＩの１３行、１４行の更新前と更新後のＨＴＭＬデータを示している。
【００６４】
また、上述実施の形態においては、伝送メディアストリームがＭＭＴストリームである例を示したが、本技術は、このＭＭＴストリームと同様の伝送メディアストリームを取り扱う表示システムに同様に適用できることは勿論である
【００６５】
また、上述実施の形態においては、ストリーミングサーバ１２０とウェブサーバ１３０とが別個に存在する例を示したが、これらのサーバが１つのサーバからなる構成も考えられる。
【００６６】
また、上述実施の形態においては、ＭＭＴ−ＣＩを取得するための参照情報がＵＲＬであって、ウェブサーバ１３０からＭＭＴ−ＣＩを取得する例を示した。しかし、ＭＭＴ−ＣＩの取得場所はウェブサーバ１３０に限定されない。
【００６７】
また、本技術は、以下のような構成を取ることもできる。
（１）ペイロードに伝送メディアを含む第１の伝送パケットと、ペイロードに上記伝送メディアに関する情報を含む第２の伝送パケットとが時分割的に多重化された伝送メディアストリームを、所定の伝送路を通じて受信側に送信する送信部と、
上記第２の伝送パケットのペイロードに設けられる上記伝送メディアの提示制御情報の挿入領域に、該提示制御情報を取得するための参照情報を挿入する情報挿入部とを備える
送信装置。
（２）上記情報挿入部は、
上記挿入領域に上記参照情報が挿入されていることを識別するための識別情報を、上記第２の伝送パケットのペイロードの、上記挿入領域に対応した所定領域に挿入する
前記（１）に記載の送信装置。
（３）上記情報挿入部は、
上記第２の伝送パケットのペイロードの、上記挿入領域に対応した所定領域に、上記挿入領域に挿入される参照情報で取得される提示制御情報のバージョンを示すバージョン情報を挿入する
前記（１）または（２）に記載の送信装置。
（４）上記参照情報は、ウェブサーバから上記提示制御情報を取得するためのＵＲＬである
前記（１）から（３）のいずれかに記載の送信装置。
（５）上記ウェブサーバから取得される提示制御情報は、非圧縮のＨＴＭＬファイルあるいは圧縮されたＨＴＭＬファイルである
前記（４）に記載の送信装置。
（６）上記伝送パケットは、ＭＭＴパケットであり、
上記挿入領域は、ＭＣＩテーブルのＣＩコンテンツの領域である
前記（１）から（５）のいずれかに記載の送信装置。
（７）ペイロードに伝送メディアを含む第１の伝送パケットと、ペイロードに上記伝送メディアに関する情報を含む第２の伝送パケットとが時分割的に多重化された伝送メディアストリームを、所定の伝送路を通じて受信側に送信するステップと、
上記第２の伝送パケットのペイロードに設けられる上記伝送メディアの提示制御情報の挿入領域に、該提示制御情報を取得するための参照情報を挿入するステップとを備える
送信方法。
（８）ペイロードに伝送メディアを含む第１の伝送パケットと、ペイロードに上記伝送メディアに関する情報を含む第２の伝送パケットとが時分割的に多重化された伝送メディアストリームを、送信側から所定の伝送路を通じて受信する受信部を備え、
上記第２の伝送パケットのペイロードに設けられる上記伝送メディアの提示制御情報の挿入領域には、該提示制御情報を取得するための参照情報が挿入されており、
上記挿入領域に挿入されている上記参照情報に基づいて、上記提示制御情報を取得する情報取得部と、
上記取得された提示制御情報に基づいて、上記伝送メディアの提示制御を行う提示制御部とをさらに備える
受信装置。
（９）上記第２の伝送パケットのペイロードの、上記挿入領域に対応した所定領域に、上記挿入領域に上記参照情報が挿入されていることを識別するための識別情報が挿入されており、
上記情報取得部は、上記識別情報により上記挿入領域への上記参照情報の挿入が識別されるとき、上記挿入領域に挿入されている参照情報に基づいて、上記伝送メディアの提示制御情報を取得する
前記（８）に記載の受信装置。
（１０）上記第２の伝送パケットのペイロードの、上記挿入領域に対応した所定領域に上記挿入領域に挿入されている参照情報で取得される提示制御情報のバージョンを示すバージョン情報が挿入されており、
上記情報取得部は、上記バージョン情報により示されるバージョンに変化があるとき、上記挿入領域に挿入されている参照情報に基づいて、上記伝送メディアの提示制御情報を取得する
前記（８）または（９）に記載の受信装置。
（１１）上記参照情報は、ウェブサーバから上記提示制御情報を取得するためのＵＲＬである
前記（８）から（１０）のいずれかに記載の受信装置。
（１２）上記ウェブサーバから取得される提示制御情報は、非圧縮のＨＴＭＬファイルあるいは圧縮されたＨＴＭＬファイルである
前記（１１）に記載の受信装置。
（１３）上記伝送パケットは、ＭＭＴパケットであり、
上記挿入領域は、ＭＣＩテーブルのＣＩコンテンツの領域である
前記（８）から（１２）のいずれかに記載の受信装置。
（１４）ペイロードに伝送メディアを含む第１の伝送パケットと、ペイロードに上記伝送メディアに関する情報を含む第２の伝送パケットとが時分割的に多重化された伝送メディアストリームを、送信側から所定の伝送路を通じて受信するステップを備え、
上記第２の伝送パケットのペイロードに設けられる上記伝送メディアの提示制御情報の挿入領域には、該提示制御情報を取得するための参照情報が挿入されており、
上記挿入領域に挿入されている上記参照情報に基づいて、上記伝送メディアの提示制御情報を取得するステップと、
上記取得された上記提示制御情報に基づいて、上記伝送メディアの提示制御を行うステップとをさらに備える
受信方法。
（１５）伝送メディアの提示制御情報を取得するための参照情報が埋め込まれている伝送メディアストリームを受信する受信部と、
上記受信された伝送メディアストリームを処理する処理部とを備える
受信装置。
（１６）上記処理部は、
上記参照情報に基づいてウェブサーバから上記提示制御情報を取得して上記伝送メディアの提示処理を行うウェブブラウザを有する
前記（１５）に記載の受信装置。
（１７）上記伝送メディアストリームには、ペイロードに伝送メディアを含む第１の伝送パケットと、ペイロードに上記伝送メディアに関する情報を含む第２の伝送パケットとが時分割的に多重化されており、
上記第２の伝送パケットのペイロードに設けられる上記伝送メディアの提示制御情報の挿入領域に、上記参照情報が挿入されている
前記（１５）または（１６）に記載の受信装置。
（１８）送信装置と受信装置とが所定の伝送路を介して接続され、
上記送信装置は、
ペイロードに伝送メディアを含む第１の伝送パケットと、ペイロードに上記伝送メディアに関する情報を含む第２の伝送パケットとが時分割的に多重化された伝送メディアストリームを、上記所定の伝送路を通じて上記受信装置に送信する送信部と、
上記第２の伝送パケットのペイロードに設けられる上記伝送メディアの提示制御情報の挿入領域に、該提示制御情報を取得するための参照情報を挿入する情報挿入部とを有し、
上記受信装置は、
上記伝送メディアストリームを、上記送信装置から上記所定の伝送路を通じて受信する受信部と、
上記伝送メディアストリームの上記第２の伝送パケットのペイロードに設けられる上記伝送メディアの提示制御情報の挿入領域に挿入されている上記参照情報に基づいて、上記提示制御情報を取得する情報取得部と、
上記取得された提示制御情報に基づいて、上記伝送メディアストリームの上記第１の伝送パケットに含まれている上記伝送メディアの提示制御を行う提示制御部とを有する
表示システム。
【００６８】
本技術の主な特徴は、伝送メディアストリームとしてのＭＭＴストリームに、提示制御情報としてのＭＭＴ−ＣＩそのものではなく、このＭＭＴ−ＣＩを取得するための参照情報を挿入することで、ＭＭＴストリームのデータ量を抑制して帯域消費の減少を図るようにしたことである（図１、図９参照）。
【符号の説明】
【００６９】
１０・・・表示システム
１１０・・・放送局
１２０・・・ストリーミングサーバ
１３０・・・ウェブサーバ
２００・・・受信機
２０１・・・ＩＰ受信部
２０２・・・ＭＭＴプレーヤ
２０３・・・出力部
２０４・・・ＩＰ/ＲＦ受信部
２０５・・・ＭＭＴデコード部
２１０・・・ウェブブラウザ
２１０ａ・・・ＨＴＭＬパース部
２１０ｂ・・・ＨＴＭＬレイアウト部
２１０ｃ・・・ＨＴＭＬレンダリング部
３００・・・インターネット
【図１】
2014196335.tif 000003
【図２】
2014196335.tif 000004
【図３】
2014196335.tif 000005
【図４】
2014196335.tif 000006
【図５】
2014196335.tif 000007
【図６】
2014196335.tif 000008
【図７】
2014196335.tif 000009
【図８】
2014196335.tif 000010
【図９】
2014196335.tif 000011
【図１０】
2014196335.tif 000012
【国際調査報告】
2014196335.tif 000013
2014196335.tif 000014
2014196335.tif 000015